(57)【要約】【課題】簡易な構成で接地面より所定高さで基礎外壁面の全周にわたって隙間なく侵入防止エリアを設けることができる害虫侵入防止装置を提供する。【解決手段】被着面に粘着する粘着層８と、該粘着層８に積層され、少なくとも柔軟性と耐候性を有し表面に害虫の登坂を防ぐ平滑面が形成された密着層１０を有する帯状のテープ材４を、建物１の布基礎２の地表面から露出する外壁面３の所定高さに隙間なく貼り巡らせた。【選択図】図１
2008118965.tif 000002
【特許請求の範囲】
【請求項１】
被着面に粘着する粘着層と、該粘着層に積層され、少なくとも柔軟性と耐候性を有し表面に害虫の登坂を防ぐ平滑面が形成された密着層を有する帯状のテープ材を、建物の基礎の地表面から露出する外壁面の所定高さに隙間なく貼り巡らせた害虫侵入防止装置。
【請求項２】
テープ材は、地表面から露出する基礎に形成される通気口より下側位置に貼り巡らされる請求項１記載の害虫侵入防止装置。
【請求項３】
テープ材の表層として光触媒層が設けられている請求項１記載の害虫侵入防止装置。
【請求項４】
テープ材の密着層に当該密着層より硬度が大きい平滑面層が積層されている請求項１記載の害虫侵入防止装置。
【請求項５】
テープ材の側面は密着層から粘着層に向けて末広がり状に傾斜した傾斜面に形成されている請求項１記載の害虫侵入防止装置。
【請求項６】
テープ材の密着層の表層側にアパタイト光触媒及び二酸化チタン光触媒を含むセラミック複合材が混入されて平滑面が形成されている請求項１記載の害虫侵入防止装置。
【発明の詳細な説明】
【技術分野】
【０００１】
本発明は、例えば屋外から建物の基礎外壁をよじ登って室内へ侵入しようとする害虫を防ぐ害虫侵入防止装置に関する。
【背景技術】
【０００２】
建物の外側から基礎外壁面をよじ登り室内へ侵入しようとする害虫には、例えば、ムカデ、ヤスデ、クモ、シロアリ、ゴキブリなど多数存在する。これらの害虫の中には毒性を持つものもありかつ不衛生であることから、室内への侵入を防ぎたい。
この対策として、例えば基礎外壁の周辺に殺虫剤を散布しておくことも可能であるが、建物が汚れたり、周囲に異臭が漂ったり、薬剤の有効期間が短いなどに加えて、高気密高断熱住宅においては、居住環境を考慮すると使い難い状況にある。よって、薬剤を使わずに害虫の侵入を可能な限り防ぎたいというニーズがある。
【０００３】
そこで、基礎外壁に水路を設けて流水により害虫の侵入を防ぐ構造が提案されている（特許文献１参照）。また、基礎の外周面をメッシュで覆ったり（特許文献２参照）、金属パッドで覆ったりする構造（特許文献３）が提案されている。或いは鏡面を有する金属板を基礎の外周に貼りめぐらすことも考えられる。
【特許文献１】特開平１１−３２４１５４号公報
【特許文献２】特開２００４−２９３１６４号公報
【特許文献３】特開２００４−１２４４８４号公報
【発明の開示】
【発明が解決しようとする課題】
【０００４】
しかしながら、基礎の外壁に流水用の樋や庇を設けるのは、部品点数が多く、樋に常時水が溜まるのは不衛生である。また、流水用の勾配や給排水設備を設ける必要があり、工事が複雑でおおがかりとなり、塵埃や異物の除去など維持管理に手間と費用がかかる。
また、基礎の外周面をメッシュで覆ったり、金属パッドで覆ったりする構造は、改修に手間と費用が嵩む。また、鏡面加工した金属板を貼り巡らすため基礎外壁面に接着固定する場合にはコストがかかるうえに、金属板どうしを一定の高さ範囲に隙間なく連結することは困難である。
【０００５】
本発明はこれらの課題を解決すべくなされたものであり、その目的とするところは、簡易な構成で接地面より所定高さで基礎外壁面の全周にわたって隙間なく侵入防止エリアを設けることができる害虫侵入防止装置を提供することにある。
【課題を解決するための手段】
【０００６】
本発明は上記目的を達成するため、次の構成を備える。
被着面に粘着する粘着層と、該粘着層に積層され、少なくとも柔軟性と耐候性を有し表面に害虫の登坂を防ぐ平滑面が形成された密着層を有する帯状のテープ材を、建物の基礎の地表面から露出する外壁面の所定高さに隙間なく貼り巡らせたことを特徴とする。
また、テープ材は、地表面から露出する基礎に形成される通気口より下側位置に貼り合わせられることを特徴とする。
また、テープ材の表層として光触媒層が設けられていることを特徴とする。
また、テープ材の密着層に当該密着層より硬度が大きい平滑面層が積層されていることを特徴とする。
また、テープ材の側面は密着層から粘着層に向けて末広がり状に傾斜した傾斜面に形成されていることを特徴とする。
また、テープ材の密着層の表層側にアパタイト光触媒及び二酸化チタン光触媒を含むセラミック複合材が混入されて平滑面が形成されていることを特徴とする。
【発明の効果】
【０００７】
上述した害虫侵入防止装置を用いれば、表面に害虫の登坂を防ぐ平滑面が形成された密着層を有する帯状のテープ材を、建物の基礎の地表面から露出する外壁面の所定高さに隙間なく貼り巡らせたので、害虫が基礎をよじ登ってもテープ材の平滑面を登りきることなく滑落させるので害虫が建物内に侵入するのを防ぐことができる。
また、テープ材は少なくとも柔軟性、耐候性を有する密着層を用いているので、適度な屈曲性と切断性が得られるため施工が容易であり、テープ材どうしを隙間なくつなぎ合わせることができる。
また、テープ材を地表面から露出する基礎に形成される通気口より下側位置に貼り巡らせることにより、通気口から床下を通じて建物内へ害虫が侵入するのを防ぐことができる。
また、テープ材の表層に光触媒層が形成されていると、平滑面層や密着層の保護になると共に、有機化学物質や悪臭、バクテリア、カビの発生を抑え、建物の外壁面を清浄に保つことができる。
また、テープ材のテープ材の密着層に当該密着層より硬度が大きい平滑面層が積層されていると、害虫（例えばシロアリ、ムカデなど）の爪が突起にかからずにテープ材を乗り越えて登ることができない。
また、テープ材の側面は表層から粘着層に向けて末広がり状に傾斜した傾斜面が形成されていると、雨水や塵埃が溜まり難く、防塵効果が高いため経時的に害虫が登りやすくなる環境を作り難くなる。
更には、テープ材の密着層の表層側にアパタイト光触媒及び二酸化チタン光触媒が混合されたセラミック複合材が混入されて平滑面が形成されていると、アパタイト光触媒により有機化学物質、細菌、汚れなどを吸着し、二酸化チタン光触媒により分解処理して再度吸着能が再生するため、テープ材の耐久性が向上する。また、硬度が異なる部材どうしを積層する場合に比べて熱膨張率の差による影響を受けないため、施工後のひずみの影響は少ないうえに、表面の平滑性と被着面に密着する密着面の柔軟性が１の部材で得られることから、テープ材の部品点数を省略し低コスト化を図ることができる。
【発明を実施するための最良の形態】
【０００８】
以下、本発明に係る害虫侵入防止装置の最良の実施形態について、添付図面を参照しながら説明する。
【０００９】
先ず、図１を参照して害虫侵入防止装置の概略構成について説明する。
建物１の土台となる布基礎２の外壁面３にテープ材４が設けられる。テープ材４は、建物１の布基礎２の地表面から露出する外面所定高さに隙間なく貼り巡らせて設けられる。具体的には、テープ材は、地表面から露出する布基礎２に形成される通気口５より下側位置に貼り巡らせる。これにより、通気口５から床下６を通じて室内７内へ害虫が侵入するのを防ぐことができる。尚、基礎の構造は布基礎に限らずべた基礎であっても良い。
【００１０】
次にテープ材４の構成について詳細に説明する。
テープ材４の最下層には、布基礎２の被着面に粘着する粘着層８が設けられている。粘着層８は使用前においてはライナー９により保護されている。粘着層８の上には密着層１０が積層されている。
【００１１】
密着層１０はテープ材４の基材であり、少なくともコンクリート、木材、金属材、塗装面などに隙間なく密着できる柔軟性、コーナー部で折り曲げられる可撓性、更には長期使用に耐え得る耐候性を有する部材が好ましい。例えば、ウレタン材、プラスチック材などのポリマー樹脂材が好ましい。
【００１２】
平滑面層１１は密着層１０上に積層され、外面及び側面が平滑面に形成されている。平滑面層１１は、害虫を滑落させる面粗度を有する平滑性と、密着層１０より硬度が高い樹脂材（四フッ化エチレン樹脂（ＰＴＦＥ）材）などが用いられる。例えば、コンクリート製の布基礎２の外壁面３には直径数μｍ〜数十μｍの凹凸が存在する。シロアリ、ムカデなどの害虫は足先に鋭利な鉤状の爪（大きさ１００μｍ程度）を有し、この爪を凹凸に引っ掛けて登ってくることが知られている。よって、平滑面層１１の面性状としては、最大面粗度Ｒｙ５μｍ以下の平滑面であることが望ましい。尚、平滑面層１１は、後述するように密着層１０の表面が平滑面とすることができれば省略することが可能である。
【００１３】
また、テープ材の平滑面層１１上には、表層として光触媒層１２が形成されている。この光触媒層１２としては、二酸化チタンが好適に用いられる。光触媒は光を吸収すると価電子帯に正孔が発生する。正孔は水や溶存酸素と反応しヒドロキシラジカル（・ＯＨ）などを生成しこれが有機物と反応して分解される。
例えば、二酸化チタンは紫外線を吸収すると結晶中に電子（ｅ−）と正孔が生成される。光触媒表面には吸着水があり、これが正孔により酸化されたヒドロキシラジカル（・ＯＨ）が生成され、有機物と反応して分解され二酸化炭素と水になる。電子（ｅ−）は空気中の酸素を還元しスーパーオキサイド（Ｏ２−）が生成され、過酸化水素を経て水になる。
【００１４】
このように光触媒層１２によって有機化学物質、悪臭、細菌、カビ、油汚れなどが分解処理され汚れ防止効果が得られることから、害虫がよじ登るきっかけとなる汚れの付着を防ぐので、格別なメンテナンスを行なわなくても平滑性を維持することができる。また、視覚を持たないシロアリやムカデなどの害虫は、触覚により壁面を探る性質がある。よって、害虫が光触媒の分解反応で生成される酸化物を検出すると回避するため、歩行面の平滑性と相俟って忌避効果も得られる。
また、光触媒が紫外線を吸収するので、平滑面層１１や密着層１０の劣化を早めることなく長寿命化を実現できる。
【００１５】
また、テープ材４は、布基礎２の起立面に設けられることからテープ材４の上下方向側面に塵埃が溜まると害虫が登り易くなる。そこで、図３Ａにおいて、テープ材４の側面は表層（光触媒層１２）から粘着層８に向けて末広がり状に傾斜した傾斜面１３に形成されている。
【００１６】
また、他例として、図３Ｂにおいてテープ材４の密着層１０が露出することがないように密着層１０の傾斜面が平滑面層１１に覆われている。また、平滑面層１１の上には表層（光触媒層１２）が設けられている。このように密着層１０が平滑面層１１に覆われていると、塵埃が溜まり難い上に害虫が登り難くなる。
【００１７】
また、他例として、図３Ｃにおいて、図３Ｂ同様に密着層１０が平滑面層１１に覆われている。平滑面層１１の両側面部は密着層１０より板厚を有する隔壁部１４が設けられ、該隔壁部１４に被着面に粘着する粘着層８が設けられていても良い。密着層１０を覆う隔壁部１４の側面には傾斜面１５が設けられている。また、平滑面層１１（隔壁部１４を含む）の上には表層（光触媒層１２）が設けられている。
【００１８】
また、他例として、図３Ｄにおいて、密着層１０の両側面部に当該密着層１０と同等の板厚を有する隔壁１６が設けられている。また密着層１０及び隔壁１６の上面には平滑面層１１及び表層（光触媒層１２）が積層されている。
【００１９】
また、図３Ｅにおいて、テープ材４の密着層１０の表層側にアパタイト光触媒と二酸化チタンを混合した複合セラミックス材が混合されて平滑面が形成されている。この場合、平滑面の面性状は最大面粗度Ｒｙ５μｍ以下の平滑面であることが望ましい。このテープ材４は密着層１０の表面の平滑性と被着面に密着する密着面の柔軟性が１の部材で得られることから、部品点数を省略し低コスト化を図ることができる。また、密着層１０の側面は表層から粘着層８に向けて末広がり状に傾斜した傾斜面１７が形成されている。
【００２０】
このようにアパタイト光触媒が混合されていると、有機化合物、細菌、汚れなどを吸着する性質がある。このアパタイト光触媒が有する吸着能と二酸化チタン光触媒が有する分解能を併用することで、アパタイトの吸着機能が随時再生されテープ材４を半永久的に使用することができる。
また、テープ材４は硬度が異なる部材どうしを積層する場合に比べて熱膨張率の差による影響を受けないため、施工後のひずみの影響は少ない。また、平滑面層に光触媒層をコーティングする必要がないため、製造しやすく低コスト化が図れる。
【００２１】
また、図２Ａにおいて、テープ材４の幅方向寸法であるが、例えばクモなどのように体長が１００ｍｍを超える手足の長い害虫も存在することから、害虫がテープ材４を乗り越えてしまうのを防ぐため、２００ｍｍ以上の高さ範囲で設けることが望ましい。
また、図２Ｂにおいて、テープ材４はテープ端面１８どうしを突き合わせて隙間なく基礎外壁面に沿って同じ高さで周回するように貼り付けることが好ましい。
【図面の簡単な説明】
【００２２】
【図１】害虫侵入防止装置に概略構成を示す断面説明図である。
【図２】テープ材の斜視説明図及び施工状態を示す説明図である。
【図３】テープ材の構成例を示す説明図である。
【符号の説明】
【００２３】
１  建物
２  布基礎
３  外壁面
４  テープ材
５  通気口
６  床下
７  室内
８  粘着層
９  ライナー
１０  密着層
１１  平滑面層
１２  光触媒層
１３、１５、１７  傾斜面
１４  隔壁部
１６  隔壁  
１８  テープ端面
【図１】
2008118965.tif 000003
【図２】
2008118965.tif 000004
【図３】
2008118965.tif 000005